(57)【要約】【課題】  ＬＥＤフラッシュ灯を提供する。【解決手段】  透明ハウジングや上記透明ハウジングに実装された電池、トリガースイッチ、光抵抗器、制御器及びＬＥＤ灯が備えられたＬＥＤフラッシュ灯であって、上記電池が、制御器の電源端部に連接され、上記トリガースイッチの一端が、電池の負極に連接され、他端が、光抵抗器を介して、制御器の信号入力端部に連接され、上記ＬＥＤ灯が、制御器の対応する出力端部に連接される。トリガースイッチを電源スイッチとし、制御器で、光抵抗器の抵抗値を検知して、ＬＥＤ灯が点灯するように、スイッチを制御し、ＬＥＤフラッシュ灯全体の二重制御が実現される。また、光抵抗器により、ＬＥＤフラッシュ灯が、光線強度が十分に弱くならなければ、フラッシュしないので、ＬＥＤフラッシュ灯の光制御によるフラッシュ制御が実現される。【選択図】  図１
2015008108.tif 000002
【特許請求の範囲】
【請求項１】
透明ハウジング、上記透明ハウジングに実装された電池、トリガースイッチ、光抵抗器、制御器及びＬＥＤ灯が備えられたＬＥＤフラッシュ灯であって、上記電池が、制御器の電源端部部に連接され、上記トリガースイッチの一端が、電池の負極に連接され、そのもう一端が、光抵抗器を介して、制御器の信号入力端部部に連接され、上記ＬＥＤ灯が、制御器の対応する出力端部部に連接される
ことを特徴とするＬＥＤフラッシュ灯。
【請求項２】
上記トリガースイッチは、ボルスイッチであることを特徴とする請求項１に記載のＬＥＤフラッシュ灯。
【請求項３】
上記ボルスイッチは、円筒とボルとからなり、上記円筒の底部に、円筒と分離したストッパーが設置され、上記円筒が、電池の負極に連接され、上記ストッパーが、光抵抗器を介して、制御器の信号入力端部部に連接され、上記ボルが、円筒内にセットされることを特徴とする請求項２に記載のＬＥＤフラッシュ灯。
【請求項４】
上記トリガースイッチは、バネスイッチ、振動スイッチ、トグルスイッチ或いはタッチスイッチであることを特徴とする請求項１に記載のＬＥＤフラッシュ灯。
【請求項５】
上記透明ハウジングには、吊り下げ用の円形孔が形成され、上記電池とトリガースイッチ、光抵抗器、制御器及びＬＥＤ灯が、回路板に集成され、上記ＬＥＤ灯が、回路板において、三角形に分布し、上記透明ハウジングが、円形や五芒星形で、上記透明ハウジングが、アクリル樹脂、ポリエチレン、ポリカーボネート、ＡＢＳ樹脂又はエポキシ樹脂からなることを特徴とする請求項１乃至４の何れかの一項に記載のＬＥＤフラッシュ灯。
【発明の詳細な説明】
【技術分野】
【０００１】
本発明は、ＬＥＤフラッシュ灯に関するものであり、さらに詳しくは、ＬＥＤ灯の技術を利用したＬＥＤフラッシュ灯に関するものである。
【背景技術】
【０００２】
制御器及びＬＥＤ灯が備えられたものであり、電池が、制御器の電源端部部に連接され、スイッチの一端が、電池の負極に連接され、そのもう一端が、制御器の信号入力端部に連接されるものが多い。このようなＬＥＤフラッシュ灯は、フラッシュ効果が得られるが、フラッシュが、スイッチによって制御され、光線の強さに従って変化することができない。また、スイッチが、ハウジングに設置され、製品の外観に悪影響を与え美感上においても問題がある。
【０００３】
【特許文献１】特開２０１１−６０４５号公報
【発明の概要】
【発明が解決しようとする課題】
【０００４】
従って、本発明の課題は、既存の技術の問題点を解消するため、構成が簡単で、光線が暗くなると、発光することができるＬＥＤフラッシュ灯を提供することにある。
【課題を解決するための手段】
【０００５】
そこで、本発明者は、上記の課題を解決するため鋭意検討を重ねた結果、後述のように、トリガースイッチ、光抵抗器、制御器を配置することにより、上記課題を解決できることに着目し、かかる知見に基いて本発明に想到するに至った。
【０００６】
かくして、請求項１に係る発明によれば、
透明ハウジング、上記透明ハウジングに実装された電池、トリガースイッチ、光抵抗器、制御器及びＬＥＤ灯が備えられたＬＥＤフラッシュ灯であって、上記電池が、制御器の電源端部部に連接され、上記トリガースイッチの一端が、電池の負極に連接され、そのもう一端が、光抵抗器を介して、制御器の信号入力端部部に連接され、上記ＬＥＤ灯が、制御器の対応する出力端部部に連接される
ことを特徴とするＬＥＤフラッシュ灯が提供される。
【０００７】
請求項２に係る発明によれば、上記トリガースイッチは、ボルスイッチであることを特徴とする請求項１に記載のＬＥＤフラッシュ灯が提供される。
【０００８】
請求項３に係る発明によれば、上記ボルスイッチは、円筒とボルとからなり、上記円筒の底部に、円筒と分離したストッパーが設置され、上記円筒が、電池の負極に連接され、上記ストッパーが、光抵抗器を介して、制御器の信号入力端部部に連接され、上記ボルが、円筒内にセットされることを特徴とする請求項２に記載のＬＥＤフラッシュ灯が提供される。
【０００９】
請求項４に係る発明によれば、上記トリガースイッチは、バネスイッチ、振動スイッチ、トグルスイッチ或いはタッチスイッチであることを特徴とする請求項１に記載のＬＥＤフラッシュ灯が提供される。
【００１０】
請求項５に係る発明によれば、上記透明ハウジングには、吊り下げ用の円形孔が形成され、上記電池とトリガースイッチ、光抵抗器、制御器及びＬＥＤ灯が、回路板に集成され、上記ＬＥＤ灯が、回路板において、三角形に分布し、上記透明ハウジングが、円形や五芒星形で、上記透明ハウジングが、アクリル樹脂、ポリエチレン、ポリカーボネート、ＡＢＳ樹脂又はエポキシ樹脂からなることを特徴とする請求項１乃至４の何れかの一項に記載のＬＥＤフラッシュ灯が提供される。
【００１１】
すなわち、本発明に係るＬＥＤフラッシュ灯は、透明ハウジング、透明ハウジング内に実装された電池、トリガースイッチ、光抵抗器、制御器及びＬＥＤ灯が備えられたものであり、上記電池が、制御器の電源端部に連接され、上記トリガースイッチの一端が、電池の負極に連接され、そのもう一端が、光抵抗器を介して、制御器の信号入力端部に連接され、上記ＬＥＤ灯が、制御器の対応する出力端部に連接され、トリガースイッチが、オンされると、光抵抗器と制御器の信号入力端部とが接続され、制御器が、光抵抗器の抵抗値をサンプリングし、光抵抗器の抵抗値が、制御器の設定値よりも高い場合、制御器が、出力端部でＬＥＤ灯の発光を制御する。
【００１２】
本発明によれば、上記トリガースイッチは、ボルスイッチやバネスイッチ、振動スイッチ、トグルスイッチ及びタッチスイッチの何れかの一つであり、上記ボルスイッチは、円筒とボルとがあり、上記円筒の底部に、円筒と分離したストッパーが設置され、上記円筒が、電池の負極に連接され、上記ストッパーが、光抵抗器を介して、制御器の信号入力端部に連接され、上記ボルが、円筒内にセットされ、ボルが、同時に、円筒とストッパーに接触した場合、スイッチがオンされる。
【００１３】
本発明によれば、上記透明ハウジングに、吊り下げ用の円形孔が形成される。
【００１４】
本発明によれば、上記電池とトリガースイッチ、光抵抗器、制御器及びＬＥＤ灯が、回路板に集成され、ＬＥＤフラッシュ灯の体積が低減し、また、作製過程において、便利に組み立てられる。
【００１５】
本発明によれば、上記ＬＥＤ灯は、回路板において、三角形状に分布され、或いは、ＬＥＤフラッシュ灯が点滅する時、より美感が向上するように、その分布形状を変化させてもよい。
【００１６】
本発明によれば、上記透明ハウジングは、円形や五芒星形等の形状であるため、ＬＥＤフラッシュ灯の美的外観が向上する。
【００１７】
本発明によれば、上記透明ハウジングは、アクリル樹脂やＰＥ、ＰＣ、ＡＢＳ樹脂或いはエポキシ樹脂からなるため、ＬＥＤフラッシュ灯の透過性が良くなる。
【発明の効果】
【００１８】
既存の技術に比較すると、本発明によれば、トリガースイッチを、電源スイッチとして、制御器で、光抵抗器の抵抗値を検知して、ＬＥＤ灯が点灯するか、スイッチを制御することにより、ＬＥＤフラッシュ灯全体の二重制御を実現でき、また、光抵抗器により、ＬＥＤフラッシュ灯が、光線強度が十分に弱くならないと、フラッシュしないので、ＬＥＤフラッシュ灯の光制御によるフラッシュ制御を実現することができる。
【発明を実施するための最良の形態】
【００１９】
以下、図面を参照しながら、本発明の特徴や技術内容について、詳しく説明するが、それらの図面等は、参考や説明のためであり、本発明は、それらによって限定されるものではない。
【００２０】
図１及び図３に示すように、本発明に係るＬＥＤフラッシュ灯は、透明ハウジング１と透明ハウジング１内に実装された電池２、トリガースイッチ３、光抵抗器４、制御器５及びＬＥＤ灯６が備えられたものである。上記透明ハウジング１は、アクリルやＰＥ（ポリエチレン）、ＰＣ（ポリカーボネート）、ＡＢＳ樹脂（アクリロニトリル、ブタジエン、スチレンの三種類のモノマーの共重合体）或いはエポキシ樹脂からなる透明体の何れかの一つからなり、その形状が、必要に応じて、円形や五芒星形等の形状に設計されても良い。上記電池２が、制御器５の電源端部に連接され、上記トリガースイッチ３のその一端が、電池２の負極に連接される。そのもう一端が、光抵抗器４を介して、制御器５の信号入力端部に連接され、上記ＬＥＤ灯６が、制御器５の対応した出力端部に連接され、トリガースイッチ３がオンされると、光抵抗器４と制御器５の信号入力端部とが接続され、制御器５が、光抵抗器４の抵抗値をサンプリングし、光抵抗器４の抵抗値が、制御器５の設定値よりも高い場合、制御器５が、出力端部でＬＥＤ灯６の発光を制御する。また、電池２や光抵抗器４、制御器５及びＬＥＤ灯６は、共用部材であり、トリガースイッチ３とともに、回路板７に集成される。ＬＥＤフラッシュ灯の体積が低下し、作製過程において、より便利になり、上記制御器５は、主として、チップＩＣ９０７である。本発明によれば、上記透明ハウジング１に、吊り下げ用の円形孔８が形成される。本発明によれば、上記ＬＥＤ灯６は、回路板７上において、三角形状に分布される。また、ＬＥＤフラッシュ灯が点滅する時、さらに美感を呈するように、その分布形状を変化させてもよい。
【００２１】
本発明は、多種類のスイッチを、電源スイッチとしてもよく、給電できるものであれば良いが、ここでは、ボルスイッチだけで説明する。図２のように、本発明によれば、上記ボルスイッチ３は、円筒３１とボル３２からなり、上記円筒３１の底部に、円筒３１と分離したストッパー３３が設置される。上記円筒３１が、電池１の負極に連接され、上記ストッパー３３が、光抵抗器４を介して、制御器５の信号入力端部に連接される。上記ボル３２が、円筒３１内に収納され、ボル３２が、同時に、円筒３１とストッパー３３に接触する時、スイッチがオンされる。
【００２２】
図３に示すように、本発明に係るＬＥＤフラッシュ灯の回路は、電池の正極が、チップＩＣ９０７のＶＤＤ端部に連接され、その負極が、チップＩＣ９０７のＶＳＳ端に連接されるように構成され、チップＩＣ９０７全体に対して、給電する。スイッチのその一端が、電池負極に連接され、もう一端において、光抵抗器ＲとチップＩＣ９０７のＳＷ端とを介して、電池の正極が、それぞれ、三方ＬＥＤ灯の陽極に連接され、チップＩＣ９０７の三つの出力端部が、それぞれ、対応するＬＥＤ灯の陰極に連接され、スイッチにより、チップＩＣ９０７に対して給電し、チップＩＣ９０７で、光抵抗器Ｒの抵抗値が、その設定値より高いかどうかを検知する。光抵抗器Ｒの抵抗値が、設定値よりも高い時、チップＩＣ９０７が、三つの出力端部に対して、ＬＥＤ灯に給電すうように制御し、チップＩＣ９０７内に設定されたルーツに従って点滅するように発光する。
【００２３】
以上は、本発明のより良い実施形態であり、本発明は、それらによって制限されるものではなく、本発明に係わる特許請求の範囲や明細書の内容に基づいて行った等価の変更や修正は、全てが、本発明の範囲内に含まれることは明らかといえる。
【図面の簡単な説明】
【００２４】
【図１】本発明の一実施形態によるＬＥＤフラッシュ灯の斜視図である。
【図２】本発明の一実施形態によるＬＥＤフラッシュ灯のボルスイッチの構成図である。
【図３】本発明の一実施形態によるＬＥＤフラッシュ灯の回路構成図である。
【符号の説明】
【００２５】
１  透明ハウジング
２  電池
３  トリガースイッチ、ボルスイッチ
３１  円筒
３２  ボル
３３  ストッパー
４  光抵抗器
５  制御器
６  ＬＥＤ灯
７  回路板
８  円形孔
【図１】
2015008108.tif 000003
【図２】
2015008108.tif 000004
【図３】
2015008108.tif 000005